(57)【要約】      （修正有）【課題】カメラが具備された多数の送信機を一つの受信機と通信接続してセキュリティーや監視が必要な場所を無線により、映像信号のみをエンコードして送信データ量を大きく減らして、送るデジタル方式の無線モニタリングシステム及びその方法を提供する。【解決手段】映像信号を各フレーム別にＭＰＥＧ−４エンコード処理し、さらにオーディオ信号は排除して映像信号のみを再びエンコード処理して、お互いに異なるチャンネルを使ってＡＰに送る複數の送信機と、複数の送信機から受信された該当のファイルを時分割方式を使って固定IPの住所を持つ受信機に伝送するＡＰと、各フレーム別でヘッダー情報が含まれたファイルを受信して該当のファイルをデコーディング処理した後に再生して、管理者の貯蔵操作によって各送信機別にストリーミング再生中の映像信号を指定された貯蔵空間に貯蔵して受信機で構成される。【選択図】図１
2008199482.tif 000002
【特許請求の範囲】
【請求項１】
カメラが具備された送信機と、送信機から一定距離以内に設置されて送信機からカメラで撮影した映像信号を無線で受信して画面上に表示する受信機で構成されたデジタル方式の無線モニタリングシステムであり、
カメラで撮影した映像信号を各フレーム別にMPEG-4コデックスを利用してMPEG-4エンコード処理して、前記MPEG-4エンコード処理した各フレーム別映像信号をオーディオ信号は排除して映像信号のみを圧縮するエンコーダーを通じて再びエンコード処理して、前記の二重のエンコード処理された各フレーム別映像信号に各送信機情報と通信規格に対する情報を含むヘッダーを結合してファイルを形成する複数の送信機；
前記複数の送信機から各フレーム別に形成されたヘッダー情報が含まれたファイルをお互いに違うチャンネルを使って同時に送信受けるAP(Access  Point)；及び
前記APを通じてAPが前記複数の送信機から送信を受けたファイルを時分割方式を使って送信され、前記送信された各フレーム別ファイルのヘッダーに含まれた情報を通じて前記各送信機を区分して該当のファイルをデコーディング処理した後、複数チャンネルの画面を同時にストリーミングビューアーでストリーミング再生するか一チャンネルの画面をストリーミングビューアーでストリーミング再生して、管理者の貯蔵操作によって前記各送信機別にストリーミング再生中の映像信号を指定された貯蔵空間に貯蔵して、固定IPアドレスを持つ受信機を含んで構成される前記デジタル方式の無線モニタリングシステム。
【請求項２】
前期各送信機はビデオドライバー、ビデオドライバー制御部、カメラ、カメラドライバー、制御部、エンコーダー及び無線通信部を具備して成り、
前記ビデオドライバーは、前記ビデオドライバー制御部からカメラで撮影した各フレーム別映像信号が要請されればカメラドライバーにカメラに撮影された各フレーム別映像信号を要請して、カメラドライバーから入力される各フレーム別映像信号を前記ビデオドライバー制御部に出力して、
前記ビデオドライバー制御部は、前記制御部からカメラで撮影した各フレーム別映像信号が要請されればビデオドライバーにカメラに撮影された各フレーム別映像信号を要請して、前記ビデオドライバーから入力される各フレーム別映像信号をMPEG-4コデックスを用いてMPEG-4エンコード処理した後前記制御部に出力して、
前記カメラは、前記カメラドライバーの制御によってモニタリング対象の映像を撮影して前記カメラドライバーに出力して、
前記カメラドライバーは、前記ビデオドライバーから前記カメラで撮影した各フレーム別映像信号が要請されれば前記カメラで撮影した各フレーム別映像信号を前記ビデオドライバーに出力して、
前記制御部は、前記カメラで撮影した各フレーム別映像信号を前記ビデオドライバー制御部に要請して、前記ビデオドライバー制御部からMPEG-4エンコード処理された各フレーム別映像信号が入力されればオーディオ信号は排除して映像信号のみを圧縮する2段階エンコード処理を制御して、二重にエンコード処理された各フレーム別映像信号に該当の送信機の情報と通信規格に関する情報を含むヘッダーを結合してファイルを形成して、該当のファイルを暗号化した後、無線通信網を通じて前記APに送るように制御して、
前記エンコーダーは、前記制御部の制御によって前記ビデオドライバー制御部でMPEG-4エンコード処理された各フレーム別映像信号をオーディオ信号は排除して映像信号のみを圧縮するように2段階エンコード処理して、2重にエンコード処理された各フレーム別映像信号を前記制御部に出力して、
前記無線通信部は、前記制御部の制御によって各フレーム別に形成されたヘッダー情報が含まれたファイルをお互いに違うチャンネルを使って無線通信網を通じて前記APで送ることを特徴とする請求項1に記載のデジタル方式の無線モニタリングシステム。
【請求項３】
前記受信機は無線通信部、ストリーミングドライバー、デコーダー、表示部、貯蔵ドライバー及びデータ貯蔵部を具備して成り、
前記無線通信部は、前記APから時分割する方式に従って同時送信される前記複数の送信機の各フレーム別ファイルを受信して、前記APから受信した各フレーム別ファイルの暗号化を確認した後各フレーム別ファイルに含まれたヘッダー情報を通じて前記各送信機を特定して前記ストリーミングドライバーに出力して、
前記ストリーミングドライバーは、前記無線通信部から前記各送信機のフレームごとに特定されて入力される各フレーム別ファイルのデコーディング処理を制御して、デコーディング処理された複数チャンネルの各フレーム別映像信号を同時にストリーミングビューアーでストリーミング再生するか一チャンネルの画面をストリーミングビューアーでストリーミング再生するように制御して、
前記デコーダーは、前記ストリーミングドライバーの要請に従って前記各送信機から送信された各フレーム別ファイルをデコーディングして、デコーディング処理された複数チャンネルの各フレーム別映像信号を前記ストリーミングドライバーに出力して、
前記表示部は、前記ストリーミングドライバーから入力される複数チャンネルの各フレーム別映像信号をストリーミングビューアーを通じてストリーミング再生して、
前記貯蔵ドライバーは、ストリーミングビューアーを通じて前記各送信機映像信号をモニタリングする管理者によって特定チャンネル映像信号の貯蔵が選択されれば前記表示部を通じてストリーミング再生中の該当チャンネルの映像信号を貯蔵するように制御して、
前記データ貯蔵部は、前記貯蔵ドライバーの制御によって前記表示部を通じてストリーミング再生中の特定チャンネルの映像信号を貯蔵することを特徴とする請求項1又は2に記載のデジタル方式の無線モニタリングシステム。
【請求項４】
前記受信機はサーバーコンピューター、ノート PC、デスクトップコンピューターのうちのいずれかひとつであることを特徴とする請求項3に記載のデジタル方式の無線モニタリングシステム。
【請求項５】
前記受信機は各チャンネル別に貯蔵されているデータを再生するための専用コデックスプレーヤーをさらに具備しており、既貯蔵された特定チャンネルの映像信号を再生するための管理者のキー入力によってコデックスプレーヤーを実行させた後、前記データ貯蔵部に貯蔵された該当のデータを前記デコーダーを通じてデコーディングして再生することを特徴とする請求項3に記載のデジタル方式の無線モニタリングシステム。
【請求項６】
前記受信機はファイル変換器を使う場合前記 APを通じて前記複数の送信機から送信された各フレーム別ファイルを汎用的なファイルで変換した後、汎用の再生プログラムを使って再生することを特徴とする請求項3に記載のデジタル方式の無線モニタリングシステム。
【請求項７】
前記 APが無線インターネット回線が繋がれている場合、前記受信機が具備された通信装備以外に他の無線通信装備を連結して使うことを特徴とする請求項１に記載のデジタル方式の無線モニタリングシステム。
【請求項８】
カメラが具備された送信機から一定程距離以内に設置された受信機で送信機から無線により受信されるカメラで撮影した映像信号を画面上に表示してモニタリングする場合、
(1)複数の送信機でカメラで撮影した映像信号を各フレーム別で MPEG-4 コデックスを利用して MPEG-4 エンコード処理して、前記 MPEG-4 エンコード処理した各フレーム別映像信号を再度オーディオ信号は排除して映像信号のみを圧縮するエンコードを処理し、前記二重にエンコード処理された各フレーム別映像信号に各送信機情報と通信規格に関する情報を含むヘッダーを結合してファイルを形成して、各フレーム別に形成されたヘッダー情報が含まれたファイルをお互いに異なるチャンネルを使って APで送る段階；
(2)複数の送信機からお互いに異なるチャンネルを通じて同時送信される各フレーム別ヘッダー情報が含まれたファイルを受信した APで該当のファイルを時分割する方式を使って固定 IP アドレスを持った受信機で送る段階； 及び
(3)前記 APを通じて前記複数の送信機で撮影された各フレーム別のヘッダー情報が含まれたファイルを受信する受信機で前記 APから受信された各フレーム別ファイルのヘッダーに含まれた情報を通じて各送信機を特定して該当のファイルをデコーディング処理した後複数チャンネルの画面を同時にストリーミングビューアーでストリーミング再生するか又は一チャンネルの画面をストリーミングビューアーでストリーミング再生して、管理者の貯蔵操作によって各送信機ごとにストリーミング再生中の映像信号を指定された貯蔵空間に貯蔵する段階、
を含んで成るデジタル方式の無線モニタリング方法。
【請求項９】
既貯蔵された特定チャンネルの映像信号を再生するための管理者のキー入力によって前記受信機で各チャンネル別に貯蔵されているデータを再生するための専用コデックスプレーヤーを操作し、既貯蔵された該当チャンネルの各データをデコーディングして前記専用コデックスプレーヤーを通じて再生する段階をさらに含むことを特徴とする請求項８に記載のデジタル方式の無線モニタリング方法。
【請求項１０】
前記方法は、
(1-1)送信機の制御部からビデオドライバー制御部でカメラ撮影映像信号の 1 フレームを要請する段階；
(1-2)前記制御部から 1 フレームのカメラ撮影映像信号の要請を受けた前記ビデオドライバー制御部からビデオドライバーに1フレームを要請する段階；
(1-3)前記ビデオドライバー制御部から 1 フレーム要請信号を受けた前記ビデオドライバーにカメラ APIを通じてカメラドライバーに 1 フレームを要請して該当のフレームを提供受ける段階；
(1-4)前記ビデオドライバーで前記カメラドライバーから入力される 1 フレームを前記ビデオドライバー制御部に出力する段階；
(1-5)前記ビデオドライバー制御部で前記ビデオドライバーから入力された 1 フレームを MPEG-4 コデックスを使ってエンコードして、エンコードされた該当のフレームを前記制御部に出力する段階；
(1-6)前記制御部で前記ビデオドライバー制御部を通じて MPEG-4 エンコードされた 1 フレームをオーディオ信号は排除して映像信号のみを圧縮するエンコーダーに出力してエンコードを要請する段階；
(1-7)前記エンコーダーでコデックスを通じて二重にエンコード処理された 1 フレームを前記制御部に出力する段階；
(1-8)前記制御部で前記エンコーダーを通じて二重にエンコード処理された 1 フレームに送信機情報と通信規格に対する情報を含むヘッダーを結合してファイルを形成する段階； 及び
(1-9)前記制御部でヘッダーが結合されたファイルを暗号化した後、無線通信部を通じて前記 APで送るように制御する段階、
を含んで成ることを特徴とする請求項８に記載のデジタル方式の無線モニタリング方法。
【請求項１１】
前記方法は、
(3-1)前記 APから前記複数の送信機で撮影された各フレーム別ファイルを受信した受信機の無線通信部で各チャンネル別に受信したファイルの暗号化を確認する段階；
(3-2)暗号化を確認した前記無線通信部で前記 APから受信された各フレーム別ファイルのヘッダーに含まれた情報に基づき各送信機を特定する段階；
(3-3)ヘッダーに含まれた情報を通じて各フレーム別ファイルを送った送信機を特定した前記無線通信部で該当の送信機ごとに特定された各フレーム別ファイルをストリーミングドライバーに出力する段階；
(3-4)前記ストリーミングドライバーで前記無線通信部から入力された各フレーム別ファイルをデコーダーに出力してデコーディングを要請する段階；
(3-5)前記デコーダーで前記ストリーミングドライバーの要請に従って該当のファイルをデコーディング処理して、デコーディングされたフレームを前記ストリーミングドライバーに出力する段階；
(3-6)前記ストリーミングドライバーで前記デコーダーを通じてデコーディングされた該当のフレームを表示部に出力して各チャンネルの画面を同時にストリーミングビューアーでストリーミング再生するか又は一チャンネルの画面をストリーミングビューアーでストリーミング再生するようにする段階；
(3-7)ストリーミングビューアーを通じてストリーミング再生される各チャンネル別映像信号をモニタリングする管理者によって特定チャンネルの映像信号貯蔵が選択されるかどうかを判断する段階；及び
(3-8)管理者によって特定チャンネルの映像信号に対する貯蔵が選択されれば、貯蔵ドライバーで管理者が選択したチャンネルの映像信号をデータ貯蔵部に貯蔵する段階、
を含んで成ることを特徴とする請求項8に記載のデジタル方式の無線モニタリング方法。
【発明の詳細な説明】
【技術分野】
【０００１】
本発明は無線モニタリングシステム及びその方法に関するものである。より詳細には、本発明は、カメラが具備された多数の送信機を一つの受信機と通信接続してセキュリティーや監視が必要な場所を無線によりモニタリングする時、カメラで撮影した映像信号のみをエンコードして送信データ量を大きく減らすことで多数のチャンネルを通じてデータを送るようにして、受信機側でAPを通じて各送信機から受信した映像信号をデコーディングして別途のファイル変換なしにストリーミング再生して少ない容量で貯蔵するようにするデジタル方式の無線モニタリングシステム及びその方法に関するものである。
【背景技術】
【０００２】
最近になってセキュリティーや犯罪予防の必要性が大きく求められる中で、ビル、デパート、ディスカウントショップ、犯罪多発地帯などで監視カメラを活用したモニタリングシステムが活発に利用されている。
【０００３】
現在監視カメラを使う方法は多数のカメラを閉鎖回路(closed  circuit)に設置して決まった場所に監視カメラの数だけ設置され、それぞれのモニターに表示される映像を通じて監視するとか、または映像分配機を使って多数の監視カメラで撮影した映像を一つのモニター上に表示して監視する。この時に使う技術方式はMPEG-4またはJPEG基盤の技術を適用した。しかしこのような閉鎖回路方式はモニターで各監視カメラまで有線で連結しなければならないため有線で連結が可能な比較的近くの距離でしか使えない短所があり、有線設備によって外的に見た目が良くなく、しかも有線管理に困難があった。
【０００４】
このような短所を補うための他の方法として、最近にはコードレス通信を利用して各監視カメラでモニターで映像を送信して、受信された映像をモニター上に表示する方式が適用している。この時に使う技術方式はアナログ送信技術を無線監視カメラに適用したものである。このような無線方式は以前の閉鎖回路方式よりはもうちょっと遠く離れた所まで監視カメラを設置することができる長所があるが、距離の制限があって2〜3Km以内でしか使用できない問題点が発生した。
【０００５】
また、各監視カメラでモニターに送る時に音声及び映像信号を同時に送るため送信するデータの大きさが非常に大きく、これによって通信中及び使用チャンネルの数が非常に制限的で、送信されたデータを貯蔵する場合に貯蔵空間がかなり必要になり監視装備以外にDVRなどのような大容量の貯蔵装備を具備しなければならない問題点があった。
【０００６】
一方、従来には監視カメラで撮影した映像信号を画面上にディスプレーする時専用のストリーミングビューアーを使わないで一般的な再生プログラムを使っている。しかし大部分の再生プログラムはストリーミング再生ではなくて送信されるファイルを変換して再生するため速度が遅くなる短所があったし、貯蔵されたファイルを再生する場合にも貯蔵されたファイルを変換しながら再生するのでCPUに負荷を与えて速度が低下される問題点があった。
【発明の開示】
【発明が解決しようとする課題】
【０００７】
本発明の目的は前述した問題点を解決するように、カメラが具備された多数の送信機を一つの受信機と通信接続してセキュリティーや監視が必要な場所を無線によりモニタリングすることができるようにするデジタル方式の無線モニタリングシステム及びその方法を提供することにある。
【０００８】
本発明の他の目的は、カメラで撮影した映像信号のみを別に圧縮するエンコードプログラムを送信機に具備することで、送信機側でオーディオ信号を使わないでカメラで撮影した映像信号のみをエンコードして送信データ量を大きく減らすことができるようになり多くの数のチャンネルを通じてデータを送るようにするデジタル方式の無線モニタリングシステム及びその方法を提供するものである。
【０００９】
本発明のまた他の目的は、各チャンネル別に受信された映像信号のストリーミング再生と簡便な貯蔵のためのストリーミングビューアー、貯蔵されたファイルの再生のためのデコーダープレーヤーを受信機に具備することで、受信機側でAPを通じて各送信機から受信した映像信号をデコーディングして別途のファイル変換なしにリアルタイムでストリーミング再生して少ない用量で貯蔵するようにするデジタル方式の無線モニタリングシステム及びその方法を提供するものである。
【００１０】
本発明のまた他の目的は、それぞれの送信機及び受信機に対して固定IPを付与することで、相互干渉及び混信を防止するようにするデジタル方式の無線モニタリングシステム及びその方法を提供するものである。
【００１１】
本発明の他の目的と長所は下記された発明の詳細な説明を読んで添付された図面を参照すればより明らかとなる。
【課題を解決するための手段】
【００１２】
本発明によるデジタル方式の無線モニタリングシステムの望ましい実施例は、カメラが具備された送信機と、送信機から一定距離以内に設置されて送信機からカメラで撮影した映像信号を無線で受信して画面上に表示する受信機で構成され、
カメラで撮影した映像信号を各フレーム別でMPEG-4コデックスを利用してMPEG-4エンコード処理して、上記MPEG-4エンコード処理した各フレーム別映像信号をオーディオ信号は排除して映像信号のみを圧縮するエンコーダーを通じて再びエンコード処理して、上記の二重でのエンコード処理された各フレーム別映像信号に各送信機情報と通信規格に対する情報を含むヘッダーを結合してファイルを形成する複数の送信機；
上記複数の送信機から各フレーム別に形成されたヘッダー情報が含まれたファイルをお互いに違うチャンネルを使って同時に送信受けるAP(Access  Point)；及び
上記APを通じてAPが上記複数の送信機から送信を受けたファイルを時分割方式を使って送信され、上記送信された各フレーム別ファイルのヘッダーに含まれた情報を通じて上記各送信機を区分して該当のファイルをデコーディング処理した後、複数チャンネルの画面を同時にストリーミングビューアーでストリーミング再生するか一チャンネルの画面をストリーミングビューアーでストリーミング再生して、管理者の貯蔵操作によって上記各送信機別にストリーミング再生中の映像信号を指定された貯蔵空間に貯蔵して、固定IPアドレスを持つ受信機を含んで構成される。
【００１３】
本発明の実施例において、上記各送信機はビデオドライバー、ビデオドライバー制御部、カメラ、カメラドライバー、制御部、エンコーダー及び無線通信部を具備して成り、
上記ビデオドライバーは、上記ビデオドライバー制御部からカメラで撮影した各フレーム別映像信号が要請されればカメラドライバーにカメラに撮影された各フレーム別映像信号を要請して、カメラドライバーから入力される各フレーム別映像信号を上記ビデオドライバー制御部に出力して、
上記ビデオドライバー制御部は、上記制御部からカメラで撮影した各フレーム別映像信号が要請されればビデオドライバーにカメラに撮影された各フレーム別映像信号を要請して、上記ビデオドライバーから入力される各フレーム別映像信号をMPEG-4コデックスを利用してMPEG-4エンコード処理した後上記制御部に出力して、
上記カメラは、上記カメラドライバーの制御によってモニタリング対象の映像を撮影して上記カメラドライバーに出力して、
上記カメラドライバーは、上記ビデオドライバーから上記カメラで撮影した各フレーム別映像信号が要請されれば上記カメラで撮影した各フレーム別映像信号を上記ビデオドライバーに出力して、
上記制御部は、上記カメラで撮影した各フレーム別映像信号を上記ビデオドライバー制御部に要請して、上記ビデオドライバー制御部からMPEG-4エンコード処理された各フレーム別映像信号が入力されればオーディオ信号は排除して映像信号のみを圧縮する2段階エンコード処理を制御して、二重にエンコード処理された各フレーム別映像信号に該当の送信機の情報と通信規格に対する情報を含むヘッダーを結合してファイルを形成して、該当のファイルを暗号化した後、無線通信網を通じて上記APで送るように制御して、
上記エンコーダーは、上記制御部の制御によって上記ビデオドライバー制御部でMPEG-4エンコード処理された各フレーム別映像信号をオーディオ信号は排除して映像信号のみを圧縮するように2段階エンコード処理して、２重にエンコード処理された各フレーム別映像信号を上記制御部に出力して、
上記無線通信部は、上記制御部の制御によって各フレーム別に形成されたヘッダー情報が含まれたファイルをお互いに違うチャンネルを使って無線通信網を通じて上記APで送るのが望ましい。
【００１４】
本発明の実施例において、上記受信機は無線通信部、ストリーミングドライバー、デコーダー、表示部、貯蔵ドライバー及びデータ貯蔵部を具備して成り、
この時上記無線通信部は、上記APから時分割する方式に従って同時送信される上記複数の送信機の各フレーム別ファイルを受信して、上記APから受信した各フレーム別ファイルの暗号化を確認した後各フレーム別ファイルに含まれたヘッダー情報を通じて上記各送信機を特定して上記ストリーミングドライバーに出力して、
上記ストリーミングドライバーは、上記無線通信部から上記各送信機のフレームごとに特定されて入力される各フレーム別ファイルのデコーディング処理を制御して、デコーディング処理された複数チャンネルの各フレーム別映像信号を同時にストリーミングビューアーでストリーミング再生するか一チャンネルの画面をストリーミングビューアーでストリーミング再生するように制御して、
上記デコーダーは、上記ストリーミングドライバーの要請に従って上記各送信機から送信された各フレーム別ファイルをデコーディングして、デコーディング処理された複数チャンネルの各フレーム別映像信号を上記ストリーミングドライバーに出力して、
上記表示部は、上記ストリーミングドライバーから入力される複数チャンネルの各フレーム別映像信号をストリーミングビューアーを通じてストリーミング再生して、
上記貯蔵ドライバーは、ストリーミングビューアーを通じて上記各送信機映像信号をモニタリングする管理者によって特定チャンネル映像信号の貯蔵が選択されれば上記表示部を通じてストリーミング再生中の該当チャンネルの映像信号を貯蔵するように制御して、
上記データ貯蔵部は、上記貯蔵ドライバーの制御によって上記表示部を通じてストリーミング再生中の特定チャンネルの映像信号を貯蔵するのが望ましい。
【００１５】
本発明の実施例において、上記受信機はサーバーコンピューター、ノートPC、デスクトップコンピューターの内のどれかひとつが望ましい。
【００１６】
本発明の実施例において、上記受信機は各チャンネル別に貯蔵されているデータを再生するための専用コデックスプレーヤーをさらに具備しているし、既貯蔵された特定チャンネルの映像信号を再生するための管理者のキー入力によってコデックスプレーヤーを実行させた後、上記データ貯蔵部に貯蔵された該当のデータを上記デコーダーを通じてデコーディングして再生することが望ましい。
【００１７】
本発明の実施例において、上記受信機はファイル変換器を使う場合上記APを通じて上記複数の送信機から送信された各フレーム別ファイルを汎用的なファイルで変換した後、汎用の再生プログラムを使って再生するのが望ましい。
【００１８】
本発明の実施例において、上記APは無線インターネット回線が繋がれている場合、上記受信機が具備された通信装備以外に他の無線通信装備を連結して使うのが望ましい。
【００１９】
本発明によるデジタル方式の無線モニタリング方法の望ましい実施例は、カメラが具備された送信機から一定程距離以内に設置された受信機で送信機から無線により受信されるカメラで撮影した映像信号を画面上に表示してモニタリングする場合、
(1)複数の送信機でカメラで撮影した映像信号を各フレーム別でMPEG-4コデックスを利用してMPEG-4エンコード処理して、上記MPEG-4エンコード処理した各フレーム別映像信号を再度オーディオ信号は排除して映像信号のみを圧縮するエンコード処理し、上記二重でエンコード処理された各フレーム別映像信号に各送信機情報と通信規格に関する情報を含むヘッダーを結合してファイルを形成して、各フレーム別に形成されたヘッダー情報が含まれたファイルをお互いに異なるチャンネルを使って APで送る段階；
(2)複数の送信機からお互いに異なるチャンネルを通じて同時送信される各フレーム別ヘッダー情報が含まれたファイルを受信したAPで該当のファイルを時分割する方式を使って固定IPアドレスを持った受信機で送る段階；及び
(3)上記APを通じて上記複数の送信機で撮影された各フレーム別のヘッダー情報が含まれたファイルを受信する受信機で上記APから受信された各フレーム別ファイルのヘッダーに含まれた情報を通じて各送信機を特定して該当のファイルをデコーディング処理した後複数チャンネルの画面を同時にストリーミングビューアーでストリーミング再生するか一チャンネルの画面をストリーミングビューアーでストリーミング再生して、管理者の貯蔵操作によって各送信機ごとにストリーミング再生中の映像信号を指定された貯蔵空間に貯蔵する段階を含む。
【００２０】
本発明の実施例において、
(4)既貯蔵された特定チャンネルの映像信号を再生するための管理者のキー入力によって上記受信機で各チャンネル別に貯蔵されているデータを再生するための専用コデックスプレーヤーを操作し、既貯蔵された該当のチャンネルのデータをデコーディングして上記専用コデックスプレーヤーを通じて再生する段階をさらに含むことが望ましい。
【００２１】
本発明の実施例において、上記段階(1)は、
(1-1)送信機の制御部からビデオドライバー制御部でカメラ撮影映像信号の1フレームを要請する段階；
(1-2)上記制御部から1フレームのカメラ撮影映像信号の要請を受けた上記ビデオドライバー制御部からビデオドライバーに1フレームを要請する段階；
(1-3)上記ビデオドライバー制御部から1フレーム要請信号を受けた上記ビデオドライバーにカメラAPIを通じてカメラドライバーに1フレームを要請して該当のフレームを提供受ける段階；
(1-4)上記ビデオドライバーで上記カメラドライバーから入力される1フレームを上記ビデオドライバー制御部に出力する段階；
(1-5)上記ビデオドライバー制御部で上記ビデオドライバーから入力された1フレームをMPEG-4コデックスを使ってエンコードして、エンコードされた該当のフレームを上記制御部に出力する段階；
(1-6)上記制御部で上記ビデオドライバー制御部を通じてMPEG-4エンコードされた1フレームをオーディオ信号は排除して映像信号のみを圧縮するエンコーダーに出力してエンコードを要請する段階；
(1-7)上記エンコーダーでコデックスを通じて二重にエンコード処理された1フレームを上記制御部に出力する段階；
(1-8)上記制御部で上記エンコーダーを通じて二重にエンコード処理された1フレームに送信機情報と通信規格に対する情報を含むヘッダーを結合してファイルを形成する段階；及び
(1-9)上記制御部でヘッダーが結合されたファイルを暗号化した後、無線通信部を通じて上記APで送るように制御する段階を含んで成るのが望ましい。
【００２２】
本発明の実施例において、上記段階(3)は、
(3-1)上記APから上記複数の送信機で撮影された各フレーム別ファイルを受信した受信機の無線通信部で各チャンネル別に受信したファイルの暗号化を確認する段階；
(3-2)暗号化を確認した上記無線通信部で上記APから受信された各フレーム別ファイルのヘッダーに含まれた情報を通じて各送信機を区分する段階；
(3-3)ヘッダーに含まれた情報を通じて各フレーム別ファイルを送った送信機を特定した上記無線通信部で該当の送信機ごとに特定された各フレーム別ファイルをストリーミングドライバーに出力する段階；
(3-4)上記ストリーミングドライバーで上記無線通信部から入力された各フレーム別ファイルをデコーダーに出力してデコーディングを要請する段階；
(3-5)上記デコーダーで上記ストリーミングドライバーの要請に従って該当のファイルをデコーディング処理して、デコーディングされたフレームを上記ストリーミングドライバーに出力する段階；
(3-6)上記ストリーミングドライバーで上記デコーダーを通じてデコーディングされた該当のフレームを表示部に出力して各チャンネルの画面を同時にストリーミングビューアーでストリーミング再生するか一チャンネルの画面をストリーミングビューアーでストリーミング再生するようにする段階；
(3-7)ストリーミングビューアーを通じてストリーミング再生される各チャンネル別映像信号をモニタリングする管理者によって特定チャンネルの映像信号貯蔵が選択されるかどうかを判断する段階；及び
(3-8)管理者によって特定チャンネルの映像信号に対する貯蔵が選択されれば、貯蔵ドライバーで管理者が選択したチャンネルの映像信号をデータ貯蔵部に貯蔵する段階を含んで成り立つのが望ましい。
【００２３】
発明の詳細な説明
本発明の目的を達成するための本発明によるデジタル方式の無線モニタリングシステムは、カメラが具備された送信機と、送信機から一定距離以内に設置されて送信機からカメラで撮影した映像信号を無線で受信して画面上に表示する受信機で構成された無線モニタリングシステムにおいて、カメラで撮影した映像信号を各フレーム別に MPEG-4 コデックを利用してMPEG-4エンコード処理して、MPEG-4エンコード処理した各フレーム別映像信号をオーディオ信号は排除して映像信号のみを圧縮するエンコーダーを通じて再びエンコード処理し、二重にエンコード処理された各フレーム別映像信号に各送信機ごとに情報と通信規格に対する情報を含むヘッダーを結合してファイルを形成して、各フレーム別に形成されたヘッダー情報が含まれたファイルをお互いに異なるチャンネルを使ってAPで送る複数の送信機と； 複数の送信機からお互いに異なるチャンネルを通じて同時送信される各フレーム別ヘッダー情報が含まれたファイルを受信して、複数の送信機から受信した該当のファイルを時分割する方式を使って固定IPアドレスを持った受信機で送るAPと；APを通じて複数の送信機で撮影された各フレーム別でヘッダー情報が含まれたファイルを受信して、受信した各フレーム別ファイルのヘッダーに含まれた情報を通じて各送信機を区分して該当のファイルをデコーディング処理した後、複数チャンネルの画面を同時にストリーミングビューアーでストリーミング再生するか一チャンネルの画面をストリーミングビューアーでストリーミング再生して、管理者の貯蔵操作によって各送信機ごとでストリーミング再生中の映像信号を指定された貯蔵空間に貯蔵する受信機を含んで構成されたことを特徴にする。
【００２４】
また、本発明によるデジタル方式の無線モニタリング方法は、カメラが具備された送信機から一定距離以内に設置された受信機で送信機から無線により受信されるカメラで撮影した映像信号を画面上に表示してモニタリングを遂行する方法において、(1)複数の送信機でカメラで撮影した映像信号を各フレーム別にMPEG-4コデックスを利用してMPEG-4エンコード処理して、MPEG-4エンコード処理した各フレーム別映像信号をオーディオ信号は排除して映像信号のみを圧縮するエンコードをまた遂行して、二重にエンコード処理された各フレーム別映像信号に各送信便り情報と通信規格に対する情報を含むヘッダーを結合してファイルを形成して、各フレーム別に形成されたヘッダー情報が含まれたファイルをお互いに異なるチャンネルを使ってAPで送る過程と；(2)複数の送信機からお互いに異なるチャンネルを通じて同時送信される各フレーム別ヘッダー情報が含まれたファイルを受信したAPで該当のファイルを時分割する方式を使って固定IPアドレスを持った受信機で送る過程；及び(3)APを通じて複数の送信機で撮影された各フレーム別でヘッダー情報が含まれたファイルを受信する受信機でAPから受信された各フレーム別ファイルのヘッダーに含まれた情報を通じて各送信機を特定して該当のファイルをデコーディング処理した後、複数チャンネルの画面を同時にストリーミングビューアーでストリーミング再生するか又は一チャンネルの画面をストリーミングビューアーでストリーミング再生して、管理者の貯蔵操作によって各送信機ごとにストリーミング再生中の映像信号を指定された貯蔵空間に貯蔵する過程を含むことを特徴にする。
【発明の効果】
【００２５】
以上のように本発明のデジタル方式の無線モニタリングシステム及びその方法によれば、各送信機でオーディオ信号は排除してカメラで撮影した映像信号のみを別にエンコードしてAPを通じて受信機で送るためデータ量が大幅に減少されて従来のアナログ方式に従った送信に比べて等しい伝送速度で多くのチャンネルを同時に使って映像信号を送ることができ、これによって多様なチャンネルの利用及び使用範囲を拡大することができる效果がある。
【００２６】
また、各チャンネル別に受信された映像信号のストリーミング再生と簡便な貯蔵のためのストリーミングビューアーと貯蔵されたファイルの再生のためのデコーダープレーヤーを受信機に具備することで、別途のファイル変換なしに各チャンネル別に送信される映像信号を同時に表示する、一チャンネルの映像信号を選択的に表示することができるし、送信機から受信された映像信号を各チャンネル別で特定して低容量で貯蔵することができるので貯蔵空間の大幅な節減をすることができる效果がある。
【００２７】
また、セキュリティーや犯罪予防が必要なビル、デパート、ディスカウントショップ、犯罪多発地帯などで簡単な設置で利用が可能で、制限的なモニタリングが必要な場所(例えば、試験場、博覧会場など)でも手軽く設置してとり除くことができるので活用可能性が非常に大きくて、従来の有線配線による設置の難しさと美観上きれいでないことを解決することができる效果がある。
【００２８】
また、それぞれの送信機及び受信機に対して固定IPを付与して使うため相互間の信号干渉及び混信が防止されてハイクオリティーの無線モニタリングシステムを提供することができる效果がある。
【発明を実施するための最良の形態】
【００２９】
以下、添付された図面を参照して本発明のデジタル方式の無線モニタリングシステム及びその方法を詳細に説明する。
【００３０】
図1は本発明によるデジタル方式の無線モニタリングシステムの構成を概略的に表したブロック図である。
【００３１】
まず、本発明の実施例で使われる無線通信網は最大通信速度11MbpsのIEEE802。11b通信接続規格を使って、各送信機(100)とAP(200)、AP(200)と受信機(300)の間の通信網は2。4GHz帯の無線レン(WiFi)を使って、各送信機(100)とAP(200)、AP(200)と受信機(300)の間の暗号化規格はAES(Advanced  Encryption  Standard)暗号化を使う。そして、本発明では受信機(300)一つに送信機(100)を9個連結することを例にして説明する。
【００３２】
複数の送信機(100)はカメラで撮影した映像信号を各フレーム別にMPEG-4コデックを利用してMPEG-4エンコード処理して、MPEG-4エンコード処理した各フレーム別映像信号をオーディオ信号は排除して映像信号のみを圧縮するエンコーダーを通じて再びエンコード処理(本発明ではMPEG-4技術基盤で映像信号のみを圧縮して使うのでこの中エンコードされたファイルフォーマットを*。m4vと定義して使う)と、二重にエンコード処理された各フレーム別映像信号に各送信機(100)別に情報と通信規格に対する情報を含むヘッダーを結合してファイルを形成して、各フレーム別に形成されたヘッダー情報が含まれたファイルをお互いに異なるチャンネルを使ってAP(200)で送る。
【００３３】
この場合、複数の送信機(100)からAP(200)に送信される1フレーム当たりのデータ量は約4KByteで、1秒に15フレームを送る場合データ量は60KByteで、1秒に30フレームを送る場合データ量は120Kbyteであり、それで、各送信機(100)とAP(200)の間通信速度は11Mbpsなので通信速度に何らの問題はない。
【００３４】
そして、AP(200)と受信機(300)の間に無線ランを使う場合には最大11Mbpsであり最大91個の送信機データを送ることができる。しかし最小1Mbpsで動作する場合送信機(100)と受信機(300)の距離が増加し8個の送信機データ以外に送ることができなくなる。
【００３５】
また、AP(200)と受信機(300)の間に有線ラン網を使う場合には最大10Mbpsであり最大83個の送信機データを送ることができる。そのためこのようなエンコード方式は他の一般的なエンコード方式よりデータ量を50~300%圧縮效率をもたらすことができる。
【００３６】
AP(200)は複数の送信機(100)からお互いに違うチャンネルを通じて同時送信される各フレーム別ヘッダー情報が含まれたファイルを受信して、複数の送信機(100)から受信受けた該当のファイルを時分割する(time  division)方式を使って固定IPアドレスを持った受信機(300)で送る。
【００３７】
この時、上述したAP(200)は、無線インターネット回線が繋がれている場合受信機が具備された通信装備以外に他の無線通信装備を連結して使うことができる。
【００３８】
受信機(300)は自主的に固定IPを持っており、AP(200)を通じて複数の送信機(100)で撮影された各フレーム別のヘッダー情報が含まれたファイルを受信して、受信し各フレーム別ファイルのヘッダーに含まれた情報(IPアドレス)を通じて各送信機(100)を区分して該当のファイルをデコーディング処理した後複数チャンネルの画面を同時にストリーミングビューアーでストリーミング再生するかまたは一チャンネルの画面をストリーミングビューアーでストリーミング再生する。すなわち、ストリーミングビューアーは基本1個の画面で9個の送信機をIPアドレスにセッティングして見られるように構成されているので、一つの画面を通じて各送信機(100)から送信されるすべてのチャンネルの映像信号をモニタリングすることができるのはもちろん、管理者の選択によって一つのチャンネルに対する映像信号のみをモニタリングすることができるようになる。
【００３９】
そして、受信機(300)は管理者の貯蔵操作によって各送信機(100)別にストリーミング再生中の映像信号を指定された貯蔵空間に貯蔵する。このように送信機(100)で送信される映像信号を貯蔵する場合、受信機(300)に具備されたハードディスクの使用用量を最小化することができるが、例えば送信機(100)1個が1秒に15フレームを送る場合1日貯蔵データ量は86、400秒間60KByteを貯蔵するので5、184MByteの用量が必要で、送信機9個分を1日間貯蔵する場合、約45GByteの用量を使うので既存のモニタリングシステムより貯蔵空間が画期的に節減される。この時、貯蔵されるファイル形態は“IPアドレス+年月日時分秒”のファイル名を持った*。m4v形式に貯蔵され、基本解像度は320×240QVGAである。
【００４０】
この時、上述した受信機(300)は、サーバーコンピューター、ノートPC、デスクトップコンピューター中どれかのの一つを使うのが望ましいがこれに限定されるのではなくて、それ以外に現在使用中のすべての通信装備を使うことができる。
【００４１】
また、上述した受信機(300)は、各チャンネル別に貯蔵されているデータを再生するための専用のコデックスプレーヤーをさらに具備しており、既貯蔵された特定チャンネルの映像信号を再生するための管理者のキー入力によってコデックスプレーヤーを実行させた後、既貯蔵された該当のデータをデコーディングして再生することができる。
【００４２】
また、上述した受信機(300)は、ファイル変換器を使う場合AP(200)を通じて複数の送信機(100)から送信された各フレーム別ファイルを汎用的なファイルで変換した後、汎用の再生プログラムを使って再生することができる。
【００４３】
図2は上述した図1の各送信機(100)の構成をより詳細に表したブロック図。
【００４４】
図示されたところのように、制御部(110)はカメラ(150)で撮影した各フレーム別映像信号をビデオドライバー制御部(120)に要請して、ビデオドライバー制御部(120)からMPEG-4エンコード処理された各フレーム別映像信号が入力されればエンコーダー(160)を通じてオーディオ信号は排除して映像信号のみを圧縮する2次エンコード処理を遂行するように制御して、エンコーダー(160)を通じて二重にエンコード処理された各フレーム別映像信号に該当の送信機の情報と通信規格に対する情報を含むヘッダーを結合してファイルを形成して、該当のファイルをAES暗号化した後無線通信網を通じてAP(200)で送るように制御する。
【００４５】
ビデオドライバー制御部(120)は制御部(110)からカメラ(150)で撮影した各フレーム別映像信号が要請されればビデオドライバー(130)にカメラ(150)で撮影された各フレーム別映像信号を要請して、ビデオドライバー(130)から各フレーム別映像信号が入力されればMPEG-4コデックスを利用してMPEG-4エンコード処理した後制御部(110)に出力する。
【００４６】
ビデオドライバー(130)はビデオドライバー制御部(120)からカメラ(150)で撮影した各フレーム別映像信号が要請されればカメラドライバー(140)にカメラ(150)に撮影された各フレーム別映像信号を要請して、カメラドライバー(140)から入力される各フレーム別映像信号をビデオドライバー制御部(120)に出力する。
【００４７】
カメラドライバー(140)はビデオドライバー(130)からカメラ(150)で撮影した各フレーム別映像信号が要請されればカメラ(150)で撮影した各フレーム別映像信号をビデオドライバー(130)に出力する。
【００４８】
カメラ(150)はカメラドライバー(140)の制御によってモニタリング対象の映像を撮影してカメラドライバー(140)に出力する。
【００４９】
エンコーダー(160)は制御部(110)の制御によってビデオドライバー制御部(120)からMPEG-4エンコード処理された各フレーム別映像信号をオーディオ信号は排除して映像信号のみを圧縮するように2次エンコード処理して、2次エンコード処理された各フレーム別映像信号を制御部(110)に出力する。
【００５０】
無線通信部(170)は制御部(110)の制御によって各フレーム別に形成されたヘッダー情報が含まれたファイルをお互いに違うチャンネルを使って無線通信網を通じてAP(200)で送る。
【００５１】
図3は上述した図1の受信機(300)の構成をより詳細に現わしたブロック図である。
【００５２】
図示したように、無線通信部(310)はAP(200)から時分割する方式に従って同時送信される複数の送信機(100)の各フレーム別ファイルを受信して、AP(200)から受信した各フレーム別ファイルのAES暗号化を確認した後各フレーム別ファイルに含まれるヘッダー情報を通じて各送信機(100)を区分して各フレーム別ファイルをストリーミングドライバー(320)に出力する。
【００５３】
ストリーミングドライバー(320)は無線通信部(310)から各送信機(100)別に区分されて入力される各フレーム別ファイルをデコーダー(330)を通じてデコーディング処理するように制御して、デコーダー(330)を通じてデコーディング処理された複数チャンネルの各フレーム別映像信号を同時にストリーミングビューアーでストリーミング再生するか一チャンネルの画面をストリーミングビューアーでストリーミング再生するように制御する。
【００５４】
デコーダー(330)はストリーミングドライバー(320)の要請に従って各送信機(100)から送信された各フレーム別ファイルをデコーディングして、デコーディング処理された複数チャンネルの各フレーム別映像信号をストリーミングドライバー(320)に出力する。
【００５５】
表示部(340)は通常的にLCDモニターなどが使われて、ストリーミングドライバー(320)から入力される複数チャンネルの各フレーム別映像信号をストリーミングビューアーを通じてストリーミング再生する。
【００５６】
貯蔵ドライバー(350)はストリーミングビューアーを通じて各送信機(100)別に映像信号をモニタリングする管理者によって特定チャンネル映像信号の貯蔵が選択されれば表示部(340)を通じてストリーミング再生中の該当のチャンネルの映像信号をデータ貯蔵部(360)に貯蔵するように制御する。
【００５７】
データ貯蔵部(360)は貯蔵ドライバー(350)の制御によって表示部(340)を通じてストリーミング再生中の特定チャンネルの映像信号を貯蔵する。
【００５８】
次に、このように構成された本発明によるデジタル方式の無線モニタリング方法の実施例を図4ないし図6を参照して詳細に説明する。
【００５９】
図4ないし図6は本発明によるデジタル方式の無線モニタリング方法の動作過程を詳細に表したフロー図である。
【００６０】
まず、複数の送信機(100)からカメラ(150)で撮影した映像を二重でエンコードした後 AP(200)で送る(S100)。すなわち、複数の送信機(100)ではカメラ(150)で撮影した映像信号を各フレーム別でMPEG-4コデックスを利用してMPEG-4エンコード処理して、MPEG-4エンコード処理した各フレーム別映像信号をオーディオ信号は排除して映像信号のみを圧縮するエンコードをまた遂行して、二重でエンコード処理された各フレーム別映像信号に各送信機ごとに通信規格に対する情報を含むヘッダーを結合してファイルを形成して、各フレーム別に形成されたヘッダー情報が含まれたファイルをお互いに違うチャンネルを使ってAP(200)で送る。
【００６１】
これを詳細に説明すれば、各送信機(100)の制御部(110)からビデオドライバー制御部(120)でカメラ撮影映像信号の1フレームを要請すれば(S110)、制御部(110)から1フレームのカメラ撮影映像信号を要請を受けたビデオドライバー制御部(120)ではビデオドライバー(130)で1フレームを要請する(S120)。
【００６２】
ビデオドライバー制御部(120)から1フレーム要請信号を受けたビデオドライバー(130)ではカメラAPIを通じてカメラドライバー(140)に1フレームを要請して該当のフレームの提供を受ける(S130)。
【００６３】
ビデオドライバー(130)ではカメラドライバー(140)から入力される1フレームをビデオドライバー制御部(120)に出力して(S140)、ビデオドライバー制御部(120)ではビデオドライバー(130)から入力された1フレームをMPEG-4コデックスを使ってエンコードして、エンコードされた該当のフレームを制御部(110)に出力する(S150)。
【００６４】
制御部(110)ではビデオドライバー制御部(120)を通じてMPEG-4エンコードされた1フレームをオーディオ信号は排除して映像信号のみを圧縮するエンコーダー(160)に出力してエンコードを要請する(S160)。
【００６５】
エンコーダー(160)ではコデックスを通じて二重でエンコード処理された1フレームを制御部(110)に出力する(S170)。
【００６６】
制御部(110)ではエンコーダー(160)を通じて二重でエンコード処理された1フレームに送信機情報と通信規格に対する情報を含むヘッダーを結合してファイルを形成して(S180)、ヘッダーが結合されたファイルを暗号化した後無線通信部(170)を通じてAP(200)で送るように制御する(S190)。
【００６７】
このように上述した過程(S100)を通じて複数の送信機(100)からカメラ(150)で撮影した映像を二重でエンコードした後AP(200)で送れば、複数の送信機(100)からお互いに違うチャンネルを通じて同時送信される各フレーム別ヘッダー情報が含まれたファイルを受信したAP(200)では該当のファイルを時分割する方式を使って固定IPアドレスを持った受信機(300)で送る(S200)。
【００６８】
次に、受信機(300)ではAP(200)を通じて受信した複数の送信機(100)で撮影された各フレーム別のヘッダー情報が含まれたファイルを土台に各送信機(100)を確認して、該当のファイルをデコーディング処理した後、ストリーミング再生するか、貯蔵を遂行する(S300)。すなわち、受信機(300)ではAP(200)から受信された各フレーム別ファイルのヘッダーに含まれた情報を通じて各送信機(100)を特定して該当のファイルをデコーディング処理した後、複数チャンネルの画面を同時にストリーミングビューアーでストリーミング再生するとか一チャンネルの画面をストリーミングビューアーでストリーミング再生して、管理者の貯蔵操作によって各送信機ごとストリーミング再生中の映像信号を指定された貯蔵空間に貯蔵する。
【００６９】
これを詳細に説明すれば、AP(200)から複数の送信機(100)で撮影された各フレーム別ファイルを受信した受信機(300)の無線通信部(310)では各チャンネル別に受信したファイルの暗号化を確認して(S310)、AP(200)から受信された各フレーム別ファイルのヘッダーに含まれた情報を通じて各送信機(100)を特定する(S320)。
【００７０】
ヘッダーに含まれた情報を通じて各フレーム別ファイルを送った送信機(100)を特定した無線通信部(310)では該当の送信機(100)ごとに特定された各フレーム別ファイルをストリーミングドライバー(320)に出力する(S330)。
【００７１】
ストリーミングドライバー(320)では無線通信部(310)から入力された各フレーム別ファイルをデコーダー(330)に出力してデコーディングを要請する(S340)。
【００７２】
デコーダー(330)ではストリーミングドライバー(320)の要請に従って各送信機(100)から受信を受けた該当のファイルをデコーディング処理して、デコーディングされたフレームをストリーミングドライバー(320)に出力する(S350)。
【００７３】
ストリーミングドライバー(320)ではデコーダー(330)を通じてデコーディングされた該当のフレームを表示部(340)に出力して各チャンネルの画面を同時にストリーミングビューアーでストリーミング再生するか、または一つのチャンネル画面をストリーミングビューアーでストリーミング再生するように制御する(S360)。
【００７４】
このようにストリーミング再生を遂行する過程で貯蔵ドライバー(350)ではストリーミングビューアーを通じてストリーミング再生される各チャンネル別映像信号をモニタリングする管理者によって特定チャンネルの映像信号貯蔵が選択されるかどうかを判断する(S370)。
【００７５】
判断結果管理者によって特定チャンネルの映像信号に対する貯蔵が選択されれば、貯蔵ドライバー(350)では管理者が選択したチャンネルの映像信号をデータ貯蔵部(360)に貯蔵する(S380)。
【００７６】
最後に、AP(200)を通じて各送信機(100)から受信を受けたカメラ撮影映像信号のストリーミング再生または貯蔵を遂行する上述した過程(S300)以後、受信機(300)ではデータ貯蔵部(360)に既貯蔵されている特定チャンネルの映像信号を再生するための管理者のキー入力があるかどうかを確認して、管理者によって特定貯蔵ファイルに対する再生が選択されれば各チャンネル別に貯蔵されているデータを再生するための専用コデックスプレーヤーが操作された後、データ貯蔵部(360)に既貯蔵されている該当のデータをデコーダー(330)を通じてデコーディングして専用コデックスプレーヤーを通じて再生する(S400)。
【００７７】
一方、本発明は多様に変形されることができるし、さまざまな形態を取ることができ、上記発明の詳細な説明ではそれによる特別な実施例に対してだけ記述した。しかし本発明は上記発明の詳細な説明で言及された特別な形態に限定されるのではないことを理解されなければならないし、むしろ添付された請求範囲によって定義される本発明の精神と範囲内にあるすべての変形物と均等物及び代替物を含むことを理解されなければならない。
【図面の簡単な説明】
【００７８】
【図１】図1は本発明によるデジタル方式の無線モニタリングシステムの構成を概略的に表したブロック図、
【図２】図2は図1の送信機の構成を詳細に表したブロック図
【図３】図3は図1の受信機の構成を詳細に表したブロック図
【図４】図4は本発明によるデジタル方式の無線モニタリング方法の動作過程を詳細に表したフロー図
【図５】図5は図4の各サブルーチンの動作過程をより詳細に現わしたフロー図
【図６】図5は図4の各サブルーチンの動作過程をより詳細に現わしたフロー図
【符号の説明】
【００７９】
１００      送信機
２００      ＡＰ
３００      受信機
１１０      制御部
１２０      ビデオドライバー制御部
１３０      ビデオドライバー
１４０      カメラドライバー
１５０      カメラ
１６０      エンコーダ
１７０、３１０    無線通信部
３２０      ストリーミングドライバー
３３０      デコーダ
３４０      表示部
３５０      貯蔵ドライバー
３６０      データ貯蔵部
【図１】
2008199482.tif 000003
【図２】
2008199482.tif 000004
【図３】
2008199482.tif 000005
【図４】
2008199482.tif 000006
【図５】
2008199482.tif 000007
【図６】
2008199482.tif 000008